(57)【特許請求の範囲】
【請求項１】
一対のカムピンが形成されたフード部を有する雄側コネクタハウジングと、
前記フード部に嵌入可能な雌側コネクタハウジングと、
カム溝が形成された一対のアーム部を操作部で連結してなり、前記雌側コネクタハウジングに対し跨ぐ形態で回動可能に取り付けたレバーとを備え、
このレバーの回動に伴う前記カムピンと前記カム溝との係合により前記両コネクタハウジングを引き寄せて嵌合状態に至らしめるようにしたレバー式コネクタであって、
前記フード部の互いに対向する一対の壁部のうちの一方の壁部においては、その内面に沿って一方の前記アーム部が入り込むことを可能とされ、
且つ、他方の前記壁部が、他方の前記アーム部と前記雌側コネクタハウジングとの間に設けた受入空間に対して進入可能とされていることを特徴とするレバー式コネクタ。
【請求項２】
前記他方のアーム部と前記雌側コネクタハウジングとの間に、前記他方のアーム部の前記受入空間内への遊動を規制するスペーサが設けられていることを特徴とする請求項１記載のレバー式コネクタ。
【請求項３】
前記雌側コネクタハウジングと前記レバーに、前記レバーの回動過程で互いに係合することにより前記レバーの前記雌側コネクタハウジングに対する接離方向の遊動を規制する遊動規制手段が設けられていることを特徴とする請求項１または請求項２に記載のレバー式コネクタ。
【発明の詳細な説明】
【０００１】
【発明の属する技術分野】
本発明は、レバー式コネクタに関する。
【０００２】
【従来の技術】
レバー式コネクタとして、フード部を有すると共に回路基板に固定される雄側コネクタハウジングと、フード部に嵌入可能な雌側コネクタハウジングと、この雌側コネクタハウジングに回動可能に取り付けられたレバーとを備えたものがある。レバーは一対のアーム部を操作部で連結してなり、雌側コネクタハウジングを跨ぐように取り付けられる。両アーム部の形成したカム溝とフード部に設けたカムピンとを係合させつつレバーを回動操作すると、両コネクタハウジングが引き寄せられて正規嵌合状態に至る。
【０００３】
【発明が解決しようとする課題】
上記レバー式コネクタでは、フード部の一方の外面が回路基板に密着することになるため、レバーの両アーム部は、嵌合時にフード部の外面に沿わせることができず、必然的にフード部内に嵌入させる構造を採らざるを得ない。ところが、両アーム部をフード部に嵌入させてしまうと、フード部の寸法が大きくなるという欠点がある。
本願発明は上記事情に鑑みて創案されたものであって、フード部の小型化を図ることを目的とするものである。
【０００４】
【課題を解決するための手段】
請求項１の発明は、一対のカムピンが形成されたフード部を有する雄側コネクタハウジングと、前記フード部に嵌入可能な雌側コネクタハウジングと、カム溝が形成された一対のアーム部を操作部で連結してなり、前記雌側コネクタハウジングに対し跨ぐ形態で回動可能に取り付けたレバーとを備え、このレバーの回動に伴う前記カムピンと前記カム溝との係合により前記両コネクタハウジングを引き寄せて嵌合状態に至らしめるようにしたレバー式コネクタであって、前記フード部の互いに対向する一対の壁部のうちの一方の壁部においては、その内面に沿って一方の前記アーム部が入り込むことを可能とされ、且つ、他方の前記壁部が、他方の前記アーム部と前記雌側コネクタハウジングとの間に設けた受入空間に対して進入可能とされている構成とした。
【０００５】
請求項２の発明は、請求項１の発明において、前記他方のアーム部と前記雌側コネクタハウジングとの間に、前記他方のアーム部の前記受入空間内への遊動を規制するスペーサが設けられている構成とした。
請求項３の発明は、請求項１又は請求項２の発明において、前記雌側コネクタハウジングと前記レバーに、前記レバーの回動過程で互いに係合することにより前記レバーの前記雌側コネクタハウジングに対する接離方向の遊動を規制する遊動規制手段が設けられている構成とした。
【０００６】
【発明の作用及び効果】
＜請求項１の発明＞
一対のアーム部のうち、フード部内に入り込むのは一方のアーム部だけであり、他方のアーム部はフード部の外部に位置するようになる。即ち、フード部の一方の外面にはアーム部を位置させることができない場合に本発明のレバー式コネクタの構造を適用すれば、両方のアーム部をフード部の内部に入り込ませる構造に比べてフード部の小型化を図ることができる。
【０００７】
＜請求項２の発明＞
雌側コネクタハウジングとアーム部との間の受入空間においては、スペーサによりフード部の壁部が進入可能なスペースが確実に確保される。したがって、レバーに対する回動操作力の付与方向がずれても、アーム部が雌側コネクタハウジング側へ変位してフード部の壁部が干渉する、ということを回避できる。
＜請求項３の発明＞
レバーを回動する際には、カム溝とカムピンとの係合のため、フード部の外側に位置するアーム部には外側への変位力が作用し、フード部の内側に位置するアーム部には内側への変位力が作用し、その結果、レバーは全体的に雌側コネクタハウジングに対して横ずれしようとする。しかし、レバーは遊動規制手段によって雌側コネクタハウジングに対する接離方向の遊動を規制されているため、レバーの横ずれが防止され、カム動作と回動動作に支障を来す虞がない。
【０００８】
【発明の実施の形態】
＜実施形態１＞
以下、本発明を具体化した実施形態１を図１乃至図８を参照して説明する。
本実施形態のレバー式コネクタは、雄側コネクタハウジング１０と雌側コネクタハウジング２０とレバー３０とから構成される。
雄側コネクタハウジング１０は、正面から視て高さが低く、横幅が大きい方形をなし、前方へ突出する角筒形のフード部１１を有する。雄側コネクタハウジング１０は回路基板Ｐに固定されており、フード部１１の下面は回路基板Ｐの上面に密着されている。雄側コネクタハウジング１０には、複数本の雄端子金具１２が前後方向に貫通するように取り付けられている。各雄端子金具１２の前端部はフード部１１内に突出し、雌側コネクタハウジング２０の雌端子金具（図示せず）と接触可能となっている。雌側コネクタハウジング２０の後面側においては、雄端子金具１２が下向きに折り曲げられて回路基板ＰのスルーホールＨに嵌入されていると共に、図示しない半田付けにより固着されている。
フード部１１の下面壁（本発明の構成要件である一方の壁部）１３Ｌには、その内面から上向きに突出する下部カムピン１４Ｌが形成されており、一方、上面壁（本発明の構成要件である他方の壁部）１３Ｕには、その外面から上向きに突出する上部カムピン１４Ｕが形成されている。また、上面壁１３Ｕの前端縁には、後述する支持軸２４Ｕとの干渉を回避するための逃がし溝１５が形成されている。
【０００９】
雌側コネクタハウジング２０は、複数の雌端子金具（図示せず）を保持したホルダ２１をカバー２２内に収容した構造になり、その前端部分がフード部１１内に嵌合されるようになっている。各雌端子金具はカバー２２の嵌合面に形成した嵌合孔２３と対応するように位置し、両コネクタハウジング１０，２０が嵌合すると、雄端子金具１２が嵌合孔２３を貫いて雌端子金具と接触するようになっている。
カバー２２は、その上面と下面の面積は広く、上下の寸法は小さい形状となっている。カバー２２の上面と下面におけるほぼ中央の位置には、夫々、支持軸２４Ｕ，２４Ｌが突成されている。上面側の支持軸２４Ｕには、カバー２２の上面から上記フード部１１の上面壁１３Ｕの厚さよりも僅かに大きい間隔を空けてスペーサ２５が一体に形成されている。このスペーサ２５は支持軸２４Ｕと直交しているとともに概ね円板状をなしており、支持軸２４Ｕのスペーサ２５よりも上方の部分にレバー３０が嵌合されるようになっている。スペーサ２５の外周縁には、部分的に切欠することにより、上記カムピン１４Ｕとの干渉を回避するための逃がし部２５Ａが形成されている。
【００１０】
カバー２２の背面から右側面に亘る領域（図５及び図６においては上面から左面に亘る領域）は、上から視て円弧形状をなしており、この円弧形の側面には、支持軸２４Ｌ，２４Ｕと同心の弧状をなすガイド溝（本発明の構成要件である遊動規制手段）２６が形成されている。このガイド溝２６は、レバー３０の回動領域の全範囲に亘っている。
ガイド溝２６の一方の端部には、大きく突出する回動規制部２６Ａと小さく突出する仮係止部２６Ｂとが形成されている。この回動規制部２６Ａは、回動開始位置にあるレバー３０が両コネクタハウジング１０，２０の嵌合を進める方向とは逆方向へ回動することを規制する。また、仮係止部２６Ｂは、レバー３０を回動開始位置に仮保持するために機能するが、この仮係止部２６Ｂによる仮保持機能はレバー３０に対して一定以上の回動操作力を付与することで解除されるようになっている。また、ガイド溝２６の他方の端部には、外向きに突出するストッパ２６Ｃが形成されている。このストッパ２６Ｃは、レバー３０の回動が完了した状態でそのレバー３０の戻り方向の回動を規制するために機能する。
【００１１】
レバー３０は上側のアーム部（本発明の構成要件である他方のアーム部）３１Ｕと下側のアーム部（本発明の構成要件である一方のアーム部）３１Ｌの先端同士を操作部３２で連結した形状をなしている。両アーム部３１Ｌ，３１Ｕの基端部には、夫々、軸受孔３３が貫通して形成され、各軸受孔３３が、夫々、上記支持軸２４Ｌ，２４Ｕに嵌合されている。これにより、レバー３０がそのアーム部３１Ｌ，３１Ｕを雌側コネクタハウジング２０の上面と下面に沿わせた状態で回動可能に取り付けられている。取付け状態では、上側のアーム部３１Ｕと雌側コネクタハウジング２０の上面との間には、フード部１１の上面壁１３Ｕの進入を可能とする受入空間３４が形成されている。また、スペーサ２５により、アーム部３１Ｕは受入空間３４側への遊動を規制されている。
下側のアーム部３１Ｌ（本発明の構成要件である一方のアーム部）には、軸受孔３３を中心とする渦巻き状をなすカム溝３５Ｌが外面（下面）に開口させて形成されている。一方、上側のアーム部３１Ｕ（本発明の構成要件である他方のアーム部）には、上側のカム溝３５Ｕと対称形のカム溝３５Ｌが内面（下面）に開口させて形成されている。
また、操作部３２の内面には被ガイド部（本発明の構成要件である遊動規制手段）３６が形成され、この被ガイド部３６は、上記ガイド溝２６に対してレバー３０の回動方向に沿いつつ摺動し得るように嵌合されている。かかる被ガイド部３６とガイド溝２６との係合により、操作部３２の雌側コネクタハウジング２０に対する上下方向の遊動が規制されている。
【００１２】
次に、本実施形態の作用について説明する。
両コネクタハウジング１０，２０の嵌合前には、レバー３０は回動開始位置（図５及び図７を参照）に回動され、レバー３０の被ガイド部３６が仮係止部２６Ｂと回動規制部２６Ａとの間に係合されることにより、レバー３０は回動開始位置に保持され、カム溝３５Ｌ，３５Ｕの受入口が雌側コネクタハウジング２０の正面側に開口するように位置する。この状態から両コネクタハウジング１０，２０を接近させ、雌側コネクタハウジング２０の前端部とレバー３０のアーム部３１Ｌ，３１Ｕの一部をフード部１１に嵌合させると、カムピン１４Ｌ，１４Ｕがカム溝３５Ｌ，３５Ｕに係合される。
【００１３】
このとき、フード部１１の上面壁１３Ｕは上側のアーム部３１Ｕと雌側コネクタハウジング２０との間の受入空間３４内に進入する。即ち、上側のアーム部３１Ｕは、図４及び図５に示すように、フード部１１の外面側（上側）に位置するようになる。
一方、下面壁１３Ｌにおいては、その内面に沿うように下側のアーム部３１Ｌが位置する。即ち、図４及び図７に示すように、下側のアーム部３１Ｌはフード部１１の内部に入り込む。
【００１４】
かかる状態から操作部３２を摘んでレバー３０に一定以上の回動力を付与すると、被ガイド部３６が仮係止部２６Ｂを乗り越えてその仮係止部２６Ｂによるレバー３０の仮保持が解除される。そして、レバー３０の回動が進むのに伴い、操作部３２に付与した回動操作力が支持軸２４Ｌ，２４Ｕを支点とするテコ作用により増幅されてカム溝３５Ｌ，３５Ｕとカムピン１４Ｌ，１４Ｕの係合部分に作用し、そのカム作用により両コネクタハウジング１０，２０が引き寄せられて嵌合が進む。
そして、両コネクタハウジング１０，２０が正規嵌合状態に至ると、レバー３０が回動完了位置に達する（図６及び図８を参照）。この状態では、被ガイド部３６がストッパ２６Ｃに係合することにより、レバー３０が回動完了位置に保持され、これにより、両コネクタハウジング１０，２０は正規嵌合状態にロックされる。
【００１５】
両コネクタハウジング１０，２０を離脱させる際には、上記と逆向きの回動操作力を強く付与すると、被ガイド部３６がストッパ２６Ｃを乗り越えてストッパ２６Ｃによるロックが解除され、カム作用により両コネクタハウジング１０，２０が強制的に引き離され、図５及び図７に示す回動開始状態に戻る。この後は、手で雌側コネクタハウジング２０をフード部１１から抜き取ればよい。
上述のように、本実施形態においては、フード部１１の下面側では回路基板Ｐが密着していて下側のアーム部３１Ｌをフード部１１の外側に位置させることができないという事情があるが、上下一対のアーム部３１Ｌ，３１Ｕの双方をフード部１１の内部に入り込ませるのではなく、フード部１１内に入り込ませるのを下側のアーム部３１Ｌだけとし、上側のアーム部３１Ｕはフード部１１の外部に位置させるようにしている。したがって、両アーム部３１Ｌ，３１Ｕをフード部１１内に入り込ませる構造のものと比較すると、フード部１１の低背化が図られている。
【００１６】
また、雌側コネクタハウジング２０と上側のアーム部３１Ｕとの間の受入空間３４においては、スペーサ２５によりアーム部３１Ｕが受入空間３４内に遊動することが規制されているので、フード部１１の上面壁１３Ｕの進入スペースが確実に確保されている。これにより、レバー３０に対する回動操作力の付与方向が下方へずれたような場合でも、アーム部３１Ｕが上面壁１３Ｕと干渉することが防止される。
【００１７】
さらに、レバー３０を回動する際には、カム溝３５Ｌ，３５Ｕとカムピン１４Ｌ，１４Ｕとの係合のため、上側のアーム部３１Ｕと下側のアーム部３１Ｌの双方に上方への変位力が作用し、その結果、レバー３０は全体的に雌側コネクタハウジング２０に対して上方へずれようとする。しかし、レバー３０はガイド溝２６と被ガイド部３６との係合によって雌側コネクタハウジング２０に対する上下方向の遊動を規制されているため、レバー３０のずれが防止され、カム動作と回動動作に支障を来す虞がない。
【００１８】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では雌側コネクタハウジングの支持軸にレバーの軸受孔を嵌合させることによってレバーを回動可能に支持したが、本発明によれば、雌側コネクタハウジングに形成した軸受孔とレバーに形成した支持軸とを嵌合させるようにしてもよい。
【００１９】
（２）上記実施形態ではガイド溝がレバーの回動領域全体に亘って形成されているが、本発明によれば、ガイド溝は嵌合抵抗が大きくなる領域のみに形成してもよい。
（３）上記実施形態では雌側コネクタハウジングの遊動規制手段を溝状としたが、本発明によれば、雌側コネクタハウジングの遊動規制手段を突条とし、レバーの遊動規制手段を溝状としてもよい。
（４）上記実施形態では軸支手段をコネクタハウジングの支持軸とレバーの軸受孔とによって構成したが、本発明によれば、レバーに支持軸を設けるとともに、コネクタハウジングに軸受孔を設ける構成としてもよい。
【００２０】
（５）上記実施形態ではスペーサを支持軸と一体の板状としたが、本発明によれば、スペーサは、支持軸の雌側コネクタハウジング側の部分をレバーの軸受孔の内径よりも段差状に拡径する形態としてもよく、また、スペーサを支持軸とは別部品として支持軸に取り付けるようにしてもよい。
【図面の簡単な説明】
【図１】実施形態１の雌側コネクタハウジングとレバーの斜視図
【図２】雌側コネクタハウジングとレバーの正面図
【図３】雌側コネクタハウジングと雄側コネクタハウジングとが未嵌合の状態をあらわす一部切欠側面図
【図４】雌側コネクタハウジングと雄側コネクタハウジングの嵌合が開始した状態をあらわす一部切欠側面図
【図５】レバーが回動開始位置にある状態をあらわす平面図
【図６】両コネクタハウジングが正規嵌合した状態をあらわす平面図
【図７】レバーが回動開始位置にある状態をあらわす底面図
【図８】両コネクタハウジングが正規嵌合した状態をあらわす底面図
【符号の説明】
１０…雄側コネクタハウジング
１１…フード部
１３Ｌ…下面壁（一方の壁部）
１３Ｕ…上面壁（他方の壁部）
１４Ｌ…カムピン
１４Ｕ…カムピン
２０…雌側コネクタハウジング
２５…スペーサ
２６…ガイド溝（遊動規制手段）
３０…レバー
３１Ｌ…下側のアーム部（一方のアーム部）
３１Ｕ…上側のアーム部（他方のアーム部）
３２…操作部
３４…受入空間
３５Ｌ…カム溝
３５Ｕ…カム溝
３６…被ガイド部（遊動規制手段）
【図１】
0003562232.tif 000002
【図２】
0003562232.tif 000003
【図３】
0003562232.tif 000004
【図４】
0003562232.tif 000005
【図５】
0003562232.tif 000006
【図６】
0003562232.tif 000007
【図７】
0003562232.tif 000008
【図８】
0003562232.tif 000009